(57)【要約】【課題】プリントプレートが注型樹脂で被覆されていても、絶縁心線の絶縁被覆層内のエア通路を用いてケース内にエアを送り込むことができるギア機構付きモータを得る。【解決手段】ケース内のグロメットと、プリントプレート１２を覆う注型樹脂２３との間で、絶縁心線１７を構成している絶縁被覆層１６を除去して心線導体１５を露出させる。【選択図】　図１
2004023891.tif 000002
【特許請求の範囲】
【請求項１】
モータ本体の回転軸がケース内に配置され、前記ケース内のギア機構の入力ギアが前記モータ本体の前記回転軸に取り付けられ、前記ギア機構の出力ギアが出力軸に取り付けられ、前記出力軸がシール手段を介して前記ケースの外に突出され、前記ケース内に前記モータ本体を制御するプリントプレートが組み込まれ、前記ケース内に該ケースに支持されたグロメットを介して絶縁心線が水密に導入され、前記絶縁心線は前記プリントプレートに半田付け接続され、前記プリントプレートの表面が注型樹脂で被覆されているギア機構付きモータにおいて、
前記ケース内の前記グロメットと前記注型樹脂との間で、前記絶縁心線を構成している絶縁被覆層が除去されて心線導体が露出されていることを特徴とするギア機構付きモータ。
【請求項２】
モータ本体の回転軸がケース内に配置され、前記ケース内のギア機構の入力ギアが前記モータ本体の前記回転軸に取り付けられ、前記ギア機構の出力ギアが出力軸に取り付けられ、前記出力軸がシール手段を介して前記ケースの外に突出され、前記ケース内に前記モータ本体を制御するプリントプレートが組み込まれ、前記ケース内に該ケースに支持されたグロメットを介して絶縁心線が水密に導入され、前記絶縁心線は前記プリントプレートに半田付け接続され、前記プリントプレートの表面が注型樹脂で被覆されているギア機構付きモータにおいて、
前記グロメットを経て前記ケース内に導入された前記絶縁心線の先端に端子が接続され、前記プリントプレートに半田付け接続されて前記注型樹脂の外に出ている絶縁心線の先端の端子と前記端子が前記グロメットと前記注型樹脂との間で嵌め合わせ接続されていることを特徴とするギア機構付きモータ。
【請求項３】
モータ本体の回転軸がケース内に配置され、前記ケース内のギア機構の入力ギアが前記モータ本体の前記回転軸に取り付けられ、前記ギア機構の出力ギアが出力軸に取り付けられ、前記出力軸がシール手段を介して前記ケースの外に突出され、前記ケース内に前記モータ本体を制御するプリントプレートが組み込まれ、前記ケース内に該ケースに支持されたグロメットを介して絶縁心線が水密に導入され、前記絶縁心線は前記プリントプレートに半田付け接続され、前記プリントプレートの表面が注型樹脂で被覆され、前記ケース内の前記グロメットと前記注型樹脂との間で前記絶縁心線を構成している絶縁被覆層が除去されて心線導体が露出されているギア機構付きモータを用いて、
前記ケースの外で前記絶縁心線の先端から前記絶縁被覆層内をエア通路としてエアを送り込み、前記絶縁心線の前記絶縁被覆層の除去部から前記ケース内にエアを流出させて前記ケース内の内圧を上げ、前記ケース内からのエアの漏出を検出することを特徴とするギア機構付きモータの防水性の確認方法。
【請求項４】
モータ本体の回転軸がケース内に配置され、前記ケース内のギア機構の入力ギアが前記モータ本体の前記回転軸に取り付けられ、前記ギア機構の出力ギアが出力軸に取り付けられ、前記出力軸がシール手段を介して前記ケースの外に突出され、前記ケース内に前記モータ本体を制御するプリントプレートが組み込まれ、前記ケース内に該ケースに支持されたグロメットを介して絶縁心線が水密に導入され、前記絶縁心線は前記プリントプレートに半田付け接続され、前記プリントプレートの表面が注型樹脂で被覆され、前記グロメットを経て前記ケース内に導入された前記絶縁心線の先端に端子が接続され、前記プリントプレートに半田付け接続されて前記注型樹脂の外に出ている絶縁心線の先端の端子と前記端子が前記グロメットと前記注型樹脂との間で嵌め合わせ接続されているギア機構付きモータを用いて、
前記ケースの外で前記絶縁心線の先端から前記絶縁被覆層をエア通路としてエアを送り込み、前記絶縁被覆層が前記グロメットと前記注型樹脂との間で開口する先端から前記ケース内にエアを流出させて前記ケース内の内圧を上げ、前記ケース内からのエアの漏出を検出することを特徴とするギア機構付きモータの防水性の確認方法。
【発明の詳細な説明】
【０００１】
【発明の属する技術分野】
本発明は、ギア機構付きモータ及びその防水性の確認方法に関するものである。
【０００２】
【従来の技術】
図３乃至図５に示すように、従来のギア機構付きモータは、モータ本体１の回転軸２がケース３内に配置され、モータ本体１のモータカバー４がケース３の外で該ケース３に水密に接続されている。ケース３は２つ割りになっていて、その割り面５がシール材６でシールされてネジ７止めで連結されている。ケース３内のギア機構８の入力ギア８ａがモータ本体１の回転軸２に取り付けられている。入力ギア８ａは大径の出力ギア８ｂに噛み合わされて減速されるようになっている。出力ギア８ｂは出力軸９に取り付けられ、該出力軸９は軸受１０が回転自在に支持されると共にオイルシールの如きシール手段１１を介してケース３の外に突出されている。
【０００３】
ケース３内には、モータ本体１を制御するプリントプレート１２が組み込まれている。ケース３内には、該ケース３に支持されたグロメット１３を介して被覆電線１４が水密に導入されている。被覆電線１４は、心線導体１５を絶縁被覆層１６で被覆した絶縁心線１７が複数本、一括して一括被覆層１８で被覆された構造になっている。絶縁心線１７は自動車用低圧電線からなる耐熱電線であって、心線導体１５のサイズが０．５　ｍｍ２　のものである。このような絶縁心線１７にはボードイン端子１９が心線圧着部１９ａと被覆圧着部１９ｂとで接続され、このボードイン端子１９がプリントプレート１１の孔に挿入されて該プリントプレート１１の回路パターン２０に半田２１付けで接続されている。ケース３の外で各絶縁心線１７にはカプラ２２が接続されている。モータ本体１への電源供給や信号の入出力が絶縁心線１７を経て行われるようになっている。
【０００４】
プリントプレート１１には、図示しないがＩＣを含む電子部品が実装されており、モータ本体１の制御を行うコントローラが構成されている。
【０００５】
このようなギア機構付きモータでは、その防水性を確認するため、従来は絶縁心線１７の絶縁被覆層１６内をエア通路として、カプラ２２からエアをこの絶縁被覆層１６内のエア通路を経て送り込み、絶縁被覆層１６の末端でケース３内に流出させて、ケース３内の内圧を上げ、このエアがケース３やモータカバー４から漏れるかどうかを確認していた。具体的には、このギア機構付きモータを水中に沈めた状態で、ケース３内にエアを送り込み、目視にてこのエアがケース３やモータカバー４から漏れるかどうかを確認していた。また、ケース３内にエアを送り込んで一定圧力に保持した後、エアの送り込みを停止し、ケース３内の圧力を測定し、圧力が低下するかどうかで、エア漏れをチェックし、防水性の確認を行っていた。
【０００６】
しかしながら、このようなギア機構付きモータでは、外気温が変化することによって、モータ内部のエア中の水分が結露し、プリントプレート１１上の電子部品間の絶縁性が低下することがある。また、外部より振動を受けた結果、電子部品の機械的、電気的接続が失われてしまうことがある。
【０００７】
これを防ぐため、電子部品を含むプリントプレート１１を図６及び図７に示すように注型樹脂２３で被覆して防水することが行われている。
【０００８】
【発明が解決しようとする課題】
しかしながら、このようにプリントプレート１１を注型樹脂２３で被覆すると、絶縁心線１７の絶縁被覆層１６の端部も注型樹脂２３で注型されてしまうので、絶縁被覆層１６内のエア通路の端部が注型樹脂２３で塞がれてしまって、ケース３内にエアを送り込んで防水性の確認ができなくなってしまう問題点があった。
【０００９】
本発明の目的は、プリントプレートが注型樹脂で被覆されていても、絶縁心線の絶縁被覆層内のエア通路を用いてケース内にエアを送り込むことができるギア機構付きモータ及びその防水性の確認方法を提供することにある。
【００１０】
【課題を解決するための手段】
本発明は、モータ本体の回転軸がケース内に配置され、ケース内のギア機構の入力ギアがモータ本体の回転軸に取り付けられ、ギア機構の出力ギアが出力軸に取り付けられ、出力軸がシール手段を介してケースの外に突出され、ケース内にモータ本体を制御するプリントプレートが組み込まれ、ケース内に該ケースに支持されたグロメットを介して絶縁心線が水密に導入され、絶縁心線はプリントプレートに半田付け接続され、プリントプレートの表面が注型樹脂で被覆されているギア機構付きモータを対象とする。
【００１１】
本発明に係るギア機構付きモータでは、ケース内でグロメットと注型樹脂との間で、絶縁心線を構成している絶縁被覆層が除去されて心線導体が露出されていることを特徴とする。
【００１２】
このようなギア機構付きモータによれば、プリントプレートが注型樹脂で被覆されていても、ケースの外で、絶縁心線の絶縁被覆層内にエアを送り込むと、ケース内の絶縁被覆層の除去部分でエアがケース内に流出されて、防水性の確認を行うことができる。
【００１３】
また本発明に係るギア機構付きモータでは、グロメットを経てケース内に導入された絶縁心線の先端に端子が接続され、プリントプレートに半田付け接続されて注型樹脂の外に出ている絶縁心線の先端の端子と前記端子がグロメットと注型樹脂との間で嵌め合わせ接続されていることを特徴とする。
【００１４】
このようなギア機構付きモータによれば、プリントプレートが注型樹脂で被覆されていても、ケースの外で、絶縁心線の絶縁被覆層内にエアを送り込むと、ケース内の絶縁心線の先端で端子を接続している絶縁被覆層の端部からエアがケース内に流出されて、防水性の確認を行うことができる。
【００１５】
また、本発明に係るギア機構付きモータの防水性の確認方法では、モータ本体の回転軸がケース内に配置され、ケース内のギア機構の入力ギアがモータ本体の回転軸に取り付けられ、ギア機構の出力ギアが出力軸に取り付けられ、出力軸がシール手段を介してケースの外に突出され、ケース内にモータ本体を制御するプリントプレートが組み込まれ、ケース内に該ケースに支持されたグロメットを介して絶縁心線が水密に導入され、絶縁心線はプリントプレートに半田付け接続され、プリントプレートの表面が注型樹脂で被覆され、ケース内のグロメットと注型樹脂との間で絶縁心線を構成している絶縁被覆層が除去されて心線導体が露出されているギア機構付きモータを用いる。ケースの外で、このギア機構付きモータの絶縁心線の先端から絶縁被覆層内をエア通路としてエアを送り込み、絶縁心線の絶縁被覆層の除去部からケース内にエアを流出させてケース内の内圧を上げ、ケース内からのエアの漏出を検出することを特徴とする。
【００１６】
このようなギア機構付きモータの防水性の確認方法によれば、プリントプレートが注型樹脂で被覆されていても、ケースの外で、絶縁心線の絶縁被覆層内にエアを送り込むと、ケース内の絶縁被覆層の除去部分でエアがケース内に流出されて、防水性の確認を行うことができる。
【００１７】
また、本発明に係るギア機構付きモータの防水性の確認方法では、モータ本体の回転軸がケース内に配置され、ケース内のギア機構の入力ギアがモータ本体の回転軸に取り付けられ、ギア機構の出力ギアが出力軸に取り付けられ、出力軸がシール手段を介してケースの外に突出され、ケース内にモータ本体を制御するプリントプレートが組み込まれ、ケース内に該ケースに支持されたグロメットを介して絶縁心線が水密に導入され、絶縁心線はプリントプレートに半田付け接続され、プリントプレートの表面が注型樹脂で被覆され、グロメットを経てケース内に導入された絶縁心線の先端に端子が接続され、プリントプレートに半田付け接続されて注型樹脂の外に出ている絶縁心線の先端の端子と前記端子がグロメットと注型樹脂との間で嵌め合わせ接続されているギア機構付きモータを用いる。ケースの外で、絶縁心線の先端から絶縁被覆層をエア通路としてエアを送り込み、絶縁被覆層がグロメットと注型樹脂との間で開口する先端からケース内にエアを流出させてケース内の内圧を上げ、ケース内からのエアの漏出を検出することを特徴とする。
【００１８】
このようなギア機構付きモータの防水性の確認方法によれば、プリントプレートが注型樹脂で被覆されていても、ケースの外で、絶縁心線の絶縁被覆層内にエアを送り込むと、ケース内の絶縁心線の先端で端子を接続している絶縁被覆層の端部からエアがケース内に流出されて、防水性の確認を行うことができる。
【００１９】
【発明の実施の形態】
図１は本発明に係るギア機構付きモータの実施の形態の第１例の要部構成を示す一部縦断側面図である。なお、前述した図６及び図７と対応する部分には同一符号を付けて示している。
【００２０】
本例のギア機構付きモータでは、図６に示したと同様に構成されている状態で、ケース３内のグロメット１３と注型樹脂２３との間で、絶縁心線１７を構成している絶縁被覆層１６が除去され、除去部２４が形成されて心線導体１５が露出されている。その他の構成は、図６及び図７と同様になっている。
【００２１】
次に、このようなギア機構付きモータを用いた防水性の確認方法の実施の形態の第１例について説明する。
【００２２】
ケース３の外で、このギア機構付きモータの絶縁心線１７の先端の前述したカプラ２２から、絶縁被覆層１６内をエア通路としてエアを送り込み、絶縁心線１７の絶縁被覆層１６の除去部２４からケース３内にエアを流出させてケース３内及びモータカバー４内の内圧を上げ、ケース３内及びモータカバー４内からのエアの漏出を検出する。
【００２３】
このようなギア機構付きモータの防水性の確認方法によれば、プリントプレート１２が注型樹脂２３で被覆されていても、ケース３の外で、絶縁心線１７の絶縁被覆層１６内にエアを送り込むと、ケース３内の絶縁被覆層１６の除去部分２４でエアがケース３内に流出されて、防水性の確認を行うことができる。
【００２４】
この場合、隣接する絶縁心線１７間で、絶縁被覆層１６の除去部分２４により露出された心線導体１５間の距離は、プリントプレート１２上の電子部品の間隔や、回路パターン２０の間隔に比べて広いため、結露による絶縁性の低下は問題にならない。
【００２５】
図２は本発明に係るギア機構付きモータの実施の形態の第２例の要部構成を示す一部縦断側面図である。なお、前述した図６及び図７と対応する部分には同一符号を付けて示している。
【００２６】
本例のギア機構付きモータでは、図６に示したと同様に構成されている状態で、グロメット１３を経てケース３内に導入された絶縁心線１７の先端に端子２５が心線圧着部２５ａと被覆圧着部２５ｂとで接続され、プリントプレート１２の回路パターン２０にボードイン端子１９が半田２１付け接続されて注型樹脂２３の外に出ている絶縁心線１７の先端に心線圧着部２６ａと被覆圧着部２６ｂとで接続された端子２６が、グロメット１３と注型樹脂２３との間で嵌め合わせ接続されている。その他の構成は、図６及び図７と同様になっている。
【００２７】
次に、このようなギア機構付きモータを用いた防水性の確認方法の実施の形態の第２例について説明する。
【００２８】
ケース３の外で、絶縁心線１７の先端の前述したカプラ２２から、絶縁被覆層１６をエア通路としてエアを送り込み、絶縁被覆層１６がグロメット１３と注型樹脂２３との間で開口する先端からケース３内にエアを流出させてケース３内及びモータカバー４内の内圧を上げ、ケース３内及びモータカバー４内からのエアの漏出を検出する。
【００２９】
このようなギア機構付きモータの防水性の確認方法によれば、プリントプレート１２が注型樹脂２３で被覆されていても、ケース３の外で、絶縁心線１７の絶縁被覆層１６内にエアを送り込むと、ケース３内の絶縁心線１７の先端で端子２５を接続している絶縁被覆層１６の端部からエアがケース３内に流出されて、防水性の確認を行うことができる。
【００３０】
上記各例では、ケース３の外にモータ本体１が存在する構造について示したが、本発明はこれに限定されるものではなく、ケース３内にモータ本体１が存在する構造についても、同様にして本発明を適用することができる。
【００３１】
【発明の効果】
本発明に係るギア機構付きモータでは、ケース内でグロメットと注型樹脂との間で、絶縁心線を構成している絶縁被覆層が除去されて心線導体が露出されているので、プリントプレートが注型樹脂で被覆されていても、ケースの外で、絶縁心線の絶縁被覆層内にエアを送り込むと、ケース内の絶縁被覆層の除去部分でエアがケース内に流出されて、防水性の確認を行うことができる。
【００３２】
また本発明に係るギア機構付きモータでは、グロメットを経てケース内に導入された絶縁心線の先端に端子が接続され、プリントプレートに半田付け接続されて注型樹脂の外に出ている絶縁心線の先端の端子と前記端子がグロメットと注型樹脂との間で嵌め合わせ接続されているので、プリントプレートが注型樹脂で被覆されていても、ケースの外で、絶縁心線の絶縁被覆層内にエアを送り込むと、ケース内の絶縁心線の先端で端子を接続している絶縁被覆層の端部からエアがケース内に流出されて、防水性の確認を行うことができる。
【００３３】
また、本発明に係るギア機構付きモータの防水性の確認方法では、プリントプレートの表面が注型樹脂で被覆され、ケース内のグロメットと注型樹脂との間で絶縁心線を構成している絶縁被覆層が除去されて心線導体が露出されているギア機構付きモータを用い、ケースの外で、絶縁心線の先端から絶縁被覆層内をエア通路としてエアを送り込み、絶縁心線の絶縁被覆層の除去部からケース内にエアを流出させてケース内の内圧を上げ、ケース内からのエアの漏出を検出するので、プリントプレートが注型樹脂で被覆されていても、防水性の確認を行うことができる。
【００３４】
また、本発明に係るギア機構付きモータの防水性の確認方法では、プリントプレートの表面が注型樹脂で被覆され、ケース内に該ケースに支持されたグロメットを介して絶縁心線が水密に導入され、絶縁心線はプリントプレートに半田付け接続され、グロメットを経てケース内に導入された絶縁心線の先端に端子が接続され、プリントプレートに半田付け接続されて注型樹脂の外に出ている絶縁心線の先端の端子と前記端子がグロメットと注型樹脂との間で嵌め合わせ接続されているギア機構付きモータを用い、ケースの外で、絶縁心線の先端から絶縁被覆層をエア通路としてエアを送り込み、絶縁被覆層がグロメットと注型樹脂との間で開口する先端からケース内にエアを流出させてケース内の内圧を上げ、ケース内からのエアの漏出を検出することにより、プリントプレートが注型樹脂で被覆されていても、防水性の確認を行うことができる。
【図面の簡単な説明】
【図１】本発明に係るギア機構付きモータの実施の形態の第１例の要部構成を示す一部縦断側面図である。
【図２】本発明に係るギア機構付きモータの実施の形態の第２例の要部構成を示す一部縦断側面図である。
【図３】従来のギア機構付きモータの正面図である。
【図４】従来のギア機構付きモータの一部破断の側面図である。
【図５】従来のギア機構付きモータでの絶縁心線とプリントプレートとの接続部の断面図である。
【図６】従来のギア機構付きモータでプリントプレートが注型樹脂で被覆された例を示す一部破断の側面図である。
【図７】従来のギア機構付きモータでプリントプレートに絶縁心線が接続された状態で該プリントプレートが注型樹脂で被覆された箇所の断面図である。
【符号の説明】
１　モータ本体
２　回転軸
３　ケース
４　モータカバー
５　割り面
６　シール材
７　ネジ
８　ギア機構
８ａ　入力ギア
８ｂ　出力ギア
９　出力軸
１０　軸受
１１　シール手段
１２　プリントプレート
１３　グロメット
１４　被覆電線
１５　心線導体
１６　絶縁被覆層
１７　絶縁心線
１８　一括被覆層
１９　ボードイン端子
１９ａ　心線圧着部
１９ｂ　被覆圧着部
２０　回路パターン
２１　半田
２２　カプラ
２３　注型樹脂
２４　絶縁被覆層の除去部
２５　端子
２５ａ　心線圧着部
２５ｂ　被覆圧着部
２６　端子
２６ａ　心線圧着部
２６ｂ　被覆圧着部
【図１】
2004023891.tif 000003
【図２】
2004023891.tif 000004
【図３】
2004023891.tif 000005
【図４】
2004023891.tif 000006
【図５】
2004023891.tif 000007
【図６】
2004023891.tif 000008
【図７】
2004023891.tif 000009